(57)【要約】【課題】筆記具やメモ用紙を不携帯でも外出先で掲示物に係る情報を簡単な手続きで利用者の携帯情報端末に記録し得る通信機能付携帯カードを用いた情報提供方法及びシステム装置の提供。【解決手段】ＩＣカード５から利用者の携帯情報端末４に情報を送信するために記録された必要なＥ−ｍａｉｌアドレスを読み取る手段と、当該読み取ったＥ−ｍａｉｌアドレスとＩＣカードリーダ３を識別するカードリーダＩＤを情報管理サーバ２に伝送する手段とを具備する前記ＩＣカードリーダ３と、前記カードリーダＩＤに対応する提供情報をデータベース１から取得する提供情報取得手段２ａと、前記Ｅ−ｍａｉｌアドレスに宛てて送信する提供情報送信手段２ｂとを具備する前記情報管理サーバ２と、提供情報を予め蓄えた前記データベース１とで、システム構築する、構成手段の採用。【選択図】図１
2004062825.tif 000002
【特許請求の範囲】
【請求項１】
携帯カードリーダと情報管理サーバと提供情報を蓄えたデータベースとで構築したシステムを用い、利用者が所有する携帯情報端末にＥ−ｍａｉｌで情報を提供する方法であって、
まず、利用者の前記携帯情報端末に情報を送信するために必要なＥ−ｍａｉｌアドレスを記録した通信機能付携帯カード（以下、携帯カード）から前記携帯カードリーダによりＥ−ｍａｉｌアドレスを読み取る処理と、
次いで、前記携帯カードから読み取った前記Ｅ−ｍａｉｌアドレスと当該携帯カードリーダを識別するカードリーダＩＤを、当該携帯カードリーダから前記情報管理サーバに伝送する処理と、
引続いて、当該情報管理サーバにより前記カードリーダＩＤに対応する提供情報を前記データベースから取得する処理と、
その後、当該提供情報を前記Ｅ−ｍａｉｌアドレスに宛てて前記情報管理サーバから送信する処理と、
を順次一貫経由して実施する、
ことを特徴とする通信機能付携帯カードを用いた情報提供方法。
【請求項２】
前記携帯カードは、
利用者のプロファイルをも併せ記録する、
ことを特徴とする請求項１に記載の通信機能付携帯カードを用いた情報提供方法。
【請求項３】
前記読み取る処理は、
前記利用者のプロファイルをも併せ読み取る処理を実施する、
ことを特徴とする請求項２に記載の通信機能付携帯カードを用いた情報提供方法。
【請求項４】
前記伝送する処理は、
前記利用者のプロファイルをも併せ伝送する処理を実施する、
ことを特徴とする請求項２又は３に記載の通信機能付携帯カードを用いた情報提供方法。
【請求項５】
前記取得する処理は、
前記カードリーダＩＤと前記利用者のプロファイルに基づいて利用者に提供する情報を決定する処理と、
当該決定された提供情報を前記データベースから取得する処理とで、置換されて、
順次前記情報管理サーバで実施する、
ことを特徴とする請求項２、３又は４に記載の通信機能付携帯カードを用いた情報提供方法。
【請求項６】
前記携帯カードリーダは、
電子的に表示内容を制御できる表示デバイスも備える、
ことを特徴とする請求項１、２、３、４又は５に記載の通信機能付携帯カードを用いた情報提供方法。
【請求項７】
前記データベースは、
前記表示デバイスで使用する表示データも蓄える、
ことを特徴とする請求項６に記載の通信機能付携帯カードを用いた情報提供方法。
【請求項８】
前記取得する処理は、
前記情報管理サーバにより前記表示デバイスで表示する前記表示データをも併せ前記データベースから取得する処理を実施する、
ことを特徴とする請求項６又は７に記載の通信機能付携帯カードを用いた情報提供方法。
【請求項９】
前記伝送する処理は、
前記情報管理サーバにより前記表示データをも前記表示デバイスに送信する処理を実施する、
ことを特徴とする請求項６、７又は８に記載の通信機能付携帯カードを用いた情報提供方法。
【請求項１０】
前記表示デバイスは、
前記情報管理サーバから送られた前記表示データを受信して画面上に表示する処理を実施する、
ことを特徴とする請求項６、７、８又は９に記載の通信機能付携帯カードを用いた情報提供方法。
【請求項１１】
前記携帯カードリーダは、
宣伝・広告物の傍ら又は一体的に設置される、
ことを特徴とする請求項１、２、３、４、５、６、７、８、９又は１０に記載の通信機能付携帯カードを用いた情報提供方法。
【請求項１２】
前記データベースの提供情報は、
前記宣伝・広告物に対応関連する内容情報である、
ことを特徴とする請求項１、２、３、４、５、６、７、８、９、１０又は１１に記載の通信機能付携帯カードを用いた情報提供方法。
【請求項１３】
前記携帯カードは、
ＩＣカードで代表される、
ことを特徴とする請求項１、２、３、４、５、６、７、８、９、１０、１１又は１２に記載の通信機能付携帯カードを用いた情報提供方法。
【請求項１４】
携帯カードリーダと情報管理サーバと提供情報を蓄えたデータベースとで構築し、利用者が所有する携帯情報端末にＥ−ｍａｉｌで情報を提供するシステムであって、
前記携帯カードリーダは、
利用者の前記携帯情報端末に送信するために必要なＥ−ｍａｉｌアドレスを記録した通信機能付携帯カード（以下、携帯カード）からＥ−ｍａｉｌアドレスを読み取るアドレス読み取り手段と、
当該携帯カードから読み取った前記Ｅ−ｍａｉｌアドレスと前記携帯カードリーダを識別するカードリーダＩＤを前記情報管理サーバに伝送する特定情報伝送手段と、を具備し、
前記情報管理サーバは、
前記カードリーダＩＤに対応する提供情報を前記データベースから取得する提供情報取得手段と、
当該提供情報を前記Ｅ−ｍａｉｌアドレスに宛てて送信する提供情報送信手段と、を具備する、
ことを特徴とする通信機能付携帯カードを用いた情報提供システム装置。
【請求項１５】
前記携帯カードは、
利用者のプロファイルをも併せ記録するカードである、
ことを特徴とする請求項１４に記載の通信機能付携帯カードを用いた情報提供システム装置。
【請求項１６】
前記携帯カードリーダは、
前記携帯カードから前記Ｅ−ｍａｉｌアドレスと利用者のプロファイルを読み取るアドレス・プロファイル読み取り手段と、
前記携帯カードから読み取った前記Ｅ−ｍａｉｌアドレスと前記利用者のプロファイルと前記携帯カードリーダを識別するカードリーダＩＤを前記情報管理サーバに伝送する特定・プロファイル情報伝送手段とを、
前記アドレス読み取り手段と前記特定情報伝送手段にそれぞれ置き換え具備する、
ことを特徴とする請求項１５に記載の通信機能付携帯カードを用いた情報提供システム装置。
【請求項１７】
前記情報管理サーバは、
前記カードリーダＩＤと前記利用者のプロファイルに基づいて当該利用者に提供する情報を決定する提供情報決定手段と、
当該決定された提供情報を前記データベースから取得する決定提供情報取得手段とを、
前記提供情報取得手段に置き換え具備する、
ことを特徴とする請求項１５又は１６に記載の通信機能付携帯カードを用いた情報提供システム装置。
【請求項１８】
前記携帯カードリーダは、
さらに、電子的に表示内容を制御できる表示デバイスをも備え、
前記データベースは、
さらに、前記表示デバイスで使用する表示データをも蓄える機能を備える、
ことを特徴とする請求項１４、１５、１６又は１７に記載の通信機能付携帯カードを用いた情報提供システム装置。
【請求項１９】
前記情報管理サーバは、
さらに、前記表示デバイスで表示する表示データを前記データベースから取得する表示データ取得手段と、
前記表示データを前記表示デバイスに送る表示データ送信手段をも具備し、
前記表示デバイスは、
さらに、前記情報管理サーバから送られた前記表示データを画面上に表示する手段をも、具備する、
ことを特徴とする請求項１８に記載の通信機能付携帯カードを用いた情報提供システム装置。
【請求項２０】
前記携帯カードリーダは、
前記提供情報に係る宣伝・広告物の傍ら又は一体的に設置される、
ことを特徴とする請求項１４、１５、１６、１７、１８又は１９に記載の通信機能付携帯カードを用いた情報提供システム装置。
【発明の詳細な説明】
【０００１】
【発明の属する技術分野】
本発明は、街頭の掲示板や広告の付近又は一体的に設置された携帯カードリーダが利用者の通信機能付携帯カード（以下、携帯カード）に記録された情報を読み取り、読み取った内容に応じて、情報管理サーバが掲示内容に関連する情報を利用者の携帯情報端末にＥ−ｍａｉｌで送信するのに供される通信機能付携帯カードを用いた情報提供方法及びその実施に直接使用するシステム装置に関するものである。
【０００２】
【従来の技術】
利用者が街角や電車・バスの中に掲示された告知文やポスター広告等を見てその内容を記録したいと思った場合、メモを取るなどの行動を起こす必要がある。掲示物に電話番号やＵＲＬ、Ｅ−ｍａｉｌアドレス等の連絡手段が記載されていればその場を離れても情報提供者に何らかのアクセスを取ることは可能だが、その場合もやはり記載された連絡手段をメモする、携帯電話等に入力してアクセスするなどの方法を取らなければならない。
【０００３】
【発明が解決しようとする課題】
外出先で掲示物の内容を記録したい場合、立ち止まってメモを取るのは面倒な作業であり、移動中にはわざわざメモを取る時間さえ無い場合も多い。筆記具やメモ用紙を不携帯の場合は断念せざるを得ない。そこで、仮令、筆記具やメモ用紙を不携帯でも利用者が外出先で目にする広告等掲示物の内容に関する付加情報を、簡単な手続きにより携帯情報端末で受信し記録することができる仕組みがあれば、利用者の利便性が向上する。
【０００４】
同じ掲示物に対して必ずしも全員が同じ付加情報を望むとは限らず、利用者を特定したほうが良い場合もある。また、掲示物の内容を動的に変化させることができれば、掲載者の意図をいち早く反映することができ、利用者にとっても便利な情報入手手段となり得る。
【０００５】
ここにおいて、本発明の解決すべき主要な目的は、次の通りである。
即ち、本発明の第１の目的は、筆記具やメモ用紙を不携帯でも外出先で掲示物に係る情報を簡単な手続きで利用者の携帯情報端末に記録し得る通信機能付携帯カードを用いた情報提供方法及びシステム装置を提供せんとするものである。
【０００６】
本発明の第２の目的は、移動中でも、掲示物に係る情報を瞬時に携帯情報端末に記録し得る通信機能付携帯カードを用いた情報提供方法及びシステム装置を提供せんとするものである。
【０００７】
本発明の第３の目的は、利用者の属性に対応して掲示物に係る自動選択情報を携帯情報端末に記録し得る通信機能付携帯カードを用いた情報提供方法及びシステム装置を提供せんとするものである。
【０００８】
本発明の第４の目的は、掲示物の内容を動的に変化して表示し、掲載者の意図をいち早く反映し得る通信機能付携帯カードを用いた情報提供方法及びシステム装置を提供せんとするものである。
【０００９】
本発明のその他の目的は、明細書、図面、特に特許請求の範囲の各請求項の記載から自ずと明らかとなろう。
【００１０】
【課題を解決するための手段】
本発明方法は、当該課題の解決に当り、携帯情報端末のＥ−ｍａｉｌアドレスを記憶した携帯カードを、設置された携帯カードリーダに読み込ませると、当該携帯カードリーダに対応した情報が当該携帯情報端末にメールとして提供される、特徴的構成手法を講じる。
【００１１】
本発明装置は、当該課題の解決に当り、携帯カードから利用者の携帯情報端末に情報を送信するために記録された必要なＥ−ｍａｉｌアドレスを読み取る手段と、当該読み取ったＥ−ｍａｉｌアドレスと携帯カードリーダを識別するカードリーダＩＤを情報管理サーバに伝送する手段とを具備する前記携帯カードリーダと、前記カードリーダＩＤに対応する提供情報をデータベースから取得する手段と当該提供情報を前記Ｅ−ｍａｉｌアドレスに宛てて送信する手段とを具備する前記情報管理サーバと、提供情報を予め蓄えた前記データベースとで、システムを構築してなる、特徴的構成手段を講じる。
【００１２】
さらに、具体的詳細に述べると、当該課題の解決では、本発明が次に列挙する上位概念から下位概念に亙るそれぞれの新規な特徴的構成手法又は手段を採用することにより、前記目的を達成するように為される。
【００１３】
即ち、本発明方法の第１の特徴は、携帯カードリーダと情報管理サーバと提供情報を蓄えたデータベースとで構築したシステムを用い、利用者が所有する携帯情報端末にＥ−ｍａｉｌで情報を提供する方法であって、まず、利用者の前記携帯情報端末に情報を送信するために必要なＥ−ｍａｉｌアドレスを記録した通信機能付携帯カード（以下、携帯カード）から前記携帯カードリーダによりＥ−ｍａｉｌアドレスを読み取る処理と、次いで、前記携帯カードから読み取った前記Ｅ−ｍａｉｌアドレスと当該携帯カードリーダを識別するカードリーダＩＤを、当該携帯カードリーダから前記情報管理サーバに伝送する処理と、引続いて、当該情報管理サーバにより前記カードリーダＩＤに対応する提供情報を前記データベースから取得する処理と、その後、当該提供情報を前記Ｅ−ｍａｉｌアドレスに宛てて前記情報管理サーバから送信する処理と、を順次一貫経由して実施してなる、通信機能付携帯カードを用いた情報提供方法の構成採用にある。
【００１４】
本発明方法の第２の特徴は、上記本発明方法の第１の特徴における前記携帯カードが、利用者のプロファイルをも併せ記録してなる、通信機能付携帯カードを用いた情報提供方法の構成採用にある。
【００１５】
本発明方法の第３の特徴は、上記本発明方法の第２の特徴における前記読み取る処理が、前記利用者のプロファイルをも併せ読み取る処理を実施してなる、通信機能付携帯カードを用いた情報提供方法の構成採用にある。
【００１６】
本発明方法の第４の特徴は、上記本発明方法の第２又は第３の特徴における前記伝送する処理が、前記利用者のプロファイルをも併せ伝送する処理を実施してなる、通信機能付携帯カードを用いた情報提供方法の構成採用にある。
【００１７】
本発明方法の第５の特徴は、上記本発明方法の第２、第３又は第４の特徴における前記取得する処理が、前記カードリーダＩＤと前記利用者のプロファイルに基づいて利用者に提供する情報を決定する処理と、当該決定された提供情報を前記データベースから取得する処理とで、置換されて、順次前記情報管理サーバで実施してなる、通信機能付携帯カードを用いた情報提供方法の構成採用にある。
【００１８】
本発明方法の第６の特徴は、上記本発明方法の第１、第２、第３、第４又は第５の特徴における前記携帯カードリーダが、電子的に表示内容を制御できる表示デバイスも備えてなる、通信機能付携帯カードを用いた情報提供方法の構成採用にある。
【００１９】
本発明方法の第７の特徴は、上記本発明方法の第６の特徴における前記データベースが、前記表示デバイスで使用する表示データも蓄えてなる、通信機能付携帯カードを用いた情報提供方法の構成採用にある。
【００２０】
本発明方法の第８の特徴は、上記本発明方法の第６又は第７の特徴における前記取得する処理が、前記情報管理サーバにより前記表示デバイスで表示する前記表示データをも併せ前記データベースから取得する処理を実施してなる、通信機能付携帯カードを用いた情報提供方法の構成採用にある。
【００２１】
本発明方法の第９の特徴は、上記本発明方法の第６、第７又は第８の特徴における前記伝送する処理が、前記情報管理サーバにより前記表示データをも前記表示デバイスに送信する処理を実施してなる、通信機能付携帯カードを用いた情報提供方法の構成採用にある。
【００２２】
本発明方法の第１０の特徴は、上記本発明方法の第６、第７、第８又は第９の特徴における前記表示デバイスが、前記情報管理サーバから送られた前記表示データを受信して画面上に表示する処理を実施してなる、通信機能付携帯カードを用いた情報提供方法の構成採用にある。
【００２３】
本発明方法の第１１の特徴は、上記本発明方法の第１、第２、第３、第４、第５、第６、第７、第８、第９又は第１０の特徴における前記携帯カードリーダが、宣伝・広告物の傍ら又は一体的に設置されてなる、通信機能付携帯カードを用いた情報提供方法の構成採用にある。
【００２４】
本発明方法の第１２の特徴は、上記本発明方法の第１、第２、第３、第４、第５、第６、第７、第８、第９、第１０又は第１１の特徴における前記データベースの提供情報が、前記宣伝・広告物に対応関連する内容情報である、通信機能付携帯カードを用いた情報提供方法の構成採用にある。
【００２５】
本発明方法の第１３の特徴は、上記本発明方法の第１、第２、第３、第４、第５、第６、第７、第８、第９、第１０、第１１又は第１２の特徴における前記携帯カードが、ＩＣカードで代表されてなる、通信機能付携帯カードを用いた情報提供方法の構成採用にある。
【００２６】
本発明装置の第１の特徴は、携帯カードリーダと情報管理サーバと提供情報を蓄えたデータベースとで構築し、利用者が所有する携帯情報端末にＥ−ｍａｉｌで情報を提供するシステムであって、前記携帯カードリーダが、利用者の前記携帯情報端末に送信するために必要なＥ−ｍａｉｌアドレスを記録した通信機能付携帯カード（以下、携帯カード）からＥ−ｍａｉｌアドレスを読み取るアドレス読み取り手段と、当該携帯カードから読み取った前記Ｅ−ｍａｉｌアドレスと前記携帯カードリーダを識別するカードリーダＩＤを前記情報管理サーバに伝送する特定情報伝送手段と、を具備し、前記情報管理サーバが、前記カードリーダＩＤに対応する提供情報を前記データベースから取得する提供情報取得手段と、当該提供情報を前記Ｅ−ｍａｉｌアドレスに宛てて送信する提供情報送信手段と、を具備してなる、通信機能付携帯カードを用いた情報提供システム装置の構成採用にある。
【００２７】
本発明装置の第２の特徴は、上記本発明装置の第１の特徴における前記携帯カードが、利用者のプロファイルをも併せ記録するカードである、通信機能付携帯カードを用いた情報提供システム装置の構成採用にある。
【００２８】
本発明装置の第３の特徴は、上記本発明装置の第２の特徴における前記携帯カードリーダが、前記携帯カードから前記Ｅ−ｍａｉｌアドレスと利用者のプロファイルを読み取るアドレス・プロファイル読み取り手段と、前記携帯カードから読み取った前記Ｅ−ｍａｉｌアドレスと前記利用者のプロファイルと前記携帯カードリーダを識別するカードリーダＩＤを前記情報管理サーバに伝送する特定・プロファイル情報伝送手段とを、前記アドレス読み取り手段と前記特定情報伝送手段にそれぞれ置き換え具備してなる、通信機能付携帯カードを用いた情報提供システム装置の構成採用にある。
【００２９】
本発明装置の第４の特徴は、上記本発明装置の第２又は第３の特徴における前記情報管理サーバが、前記カードリーダＩＤと前記利用者のプロファイルに基づいて当該利用者に提供する情報を決定する提供情報決定手段と、当該決定された提供情報を前記データベースから取得する決定提供情報取得手段とを、前記提供情報取得手段に置き換え具備する、ことを特徴とする請求項１５又は１６に記載の通信機能付携帯カードを用いた情報提供システム装置の構成採用にある。
【００３０】
本発明装置の第５の特徴は、上記本発明装置の第１、第２、第３又は第４の特徴における前記携帯カードリーダが、さらに、電子的に表示内容を制御できる表示デバイスをも備え、前記データベースが、さらに、前記表示デバイスで使用する表示データをも蓄える機能を備えてなる、通信機能付携帯カードを用いた情報提供システム装置の構成採用にある。
【００３１】
本発明装置の第６の特徴は、上記本発明装置の第５の特徴における前記情報管理サーバが、さらに、前記表示デバイスで表示する表示データを前記データベースから取得する表示データ取得手段と、前記表示データを前記表示デバイスに送る表示データ送信手段をも具備し、前記表示デバイスが、さらに、前記情報管理サーバから送られた前記表示データを画面上に表示する手段をも、具備してなる、通信機能付携帯カードを用いた情報提供システム装置の構成採用にある。
【００３２】
本発明装置の第７の特徴は、上記本発明装置の第１、第２、第３、第４、第５又は第６の特徴における前記携帯カードリーダが、前記提供情報に係る宣伝・広告物の傍ら又は一体的に設置されてなる、通信機能付携帯カードを用いた情報提供システム装置の構成採用にある。
【００３３】
本発明は、以上のように構成されて、携帯情報端末に情報を送信するためのＥ−ｍａｉｌアドレスを記録した携帯カードを用いるもので、携帯情報端末を所有する利用者が携帯カードを携帯カードリーダにかざした際、携帯カードリーダがＥ−ｍａｉｌアドレスを読み取り、読み取ったＥ−ｍａｉｌアドレスをカードリーダＩＤとともに情報管理サーバに送り、情報管理サーバがカードリーダＩＤに該当する提供情報をデータベースから取得し、受け取ったＥ−ｍａｉｌアドレスに宛てて送信するものである。
【００３４】
又、本発明は、携帯情報端末のＥ−ｍａｉｌアドレスと利用者のプロファイルを記録した携帯カードを用いるもので、携帯情報端末を所有する利用者が携帯カードを携帯カードリーダにかざした際、携帯カードリーダがＥ−ｍａｉｌアドレスと利用者のプロファイルを読み取り、これらをカードリーダＩＤとともに情報管理サーバに送り、情報管理サーバが受け取ったプロファイルとカードリーダＩＤから提供する情報を決定し、データベースから取得して受け取ったＥ−ｍａｉｌアドレスに宛てて送信するものである。
【００３５】
さらに、本発明は、液晶パネルや電光掲示板等、表示内容を電子的に制御できる表示デバイスを用い、情報管理サーバがデータベース内から取得した表示データを表示デバイスに反映させることで、状況に応じて動的に表示内容を変化させるものである。
【００３６】
【発明の実施の形態】
以下、本発明の実施の形態を装置例及び方法例について図面を参照して説明する。
なお、本発明の実施例では、通信機能付携帯カードの代表例として専らＩＣカードを説明するもこれに限定されない。
【００３７】
（装置例１）
図１は本装置例１を示すシステムの構築例、図２はＩＣカードリーダの内部構成例である。
【００３８】
本装置例は、利用者に提供する情報を格納したデータベース１、システムを制御する情報管理サーバ２、ＩＣカードの内容を読み取るＩＣカードリーダ３からなり、利用者はＥ−ｍａｉｌを受信可能な携帯情報端末４、携帯情報端末４のＥ−ｍａｉｌアドレスを記録したＩＣカード５を所有する。情報管理サーバ２は、提供情報取得手段２ａと提供情報送信手段２ｂとを、又、ＩＣカードリーダ３は、アドレス読み取り手段３ａと特定情報伝送手段３ｂとを、それぞれ具備する。
【００３９】
図中、６は、駅の構内やバス停、商店の店先、電車やバスの車内など、人が集まる場所に掲示された掲示物の１例（料理店開店を告知する広告）である。掲示物６の広告の付近にはカードリーダＩＤが“０００１”であるＩＣカードリーダ３が設置してあり、“０００１”というカードリーダＩＤは掲示物６の広告に対応するものである。
【００４０】
また、“ａｂｃ＠ｘｘｘ．ｙｙ．ｚｚ”というＥ−ｍａｉｌアドレス宛ての電子メールを受信可能な携帯情報端末４を持つ利用者が、このＥ−ｍａｉｌアドレスを記録したＩＣカード５を持っているものとする。
【００４１】
（方法例１）
前記装置例１に適用する本発明方法の方法例１につき、その実施処理を説明する。
【００４２】
利用者が広告の内容に興味を持って内容を記録したいと思い、所有するＩＣカード５をＩＣカードリーダ３にかざすと、ＩＣカードリーダ３はＩＣカード５に記録されたＥ−ｍａｉｌアドレス（ａｂｃ＠ｘｘｘ．ｙｙ．ＺＺ）をアドレス読み取り手段３ａで読み取る。ＩＣカードリーダ３はこのＥ−ｍａｉｌアドレスとカードリーダＩＤ（０００１）を特定情報伝送手段３ｂにて情報管理サーバ２に送る。
【００４３】
情報管理サーバ２は、データベース１にアクセスし、カードリーダＩＤ（０００１）に対応する提供情報を要求して取得する。
図３はデータベース１に蓄積されたデータの例である。
続いて、情報管理サーバ２は、データベース１より取得した提供情報を、ＩＣカードリーダ３から受け取ったＥ−ｍａｉｌアドレス（ａｂｃ＠ｘｘｘ．ｙｙ．ｚｚ）に宛てて送信する。
【００４４】
提供情報を受信した携帯情報端末４の表示画面７の例では、掲示物６を要約した内容が携帯情報端末４に送信されている。また、携帯情報端末４が携帯電話であれば、表示画面７における下線のある箇所のように電話番号に付してリンクを設定しておき、その電話番号へ簡単にダイヤルすることも可能である。
【００４５】
また、携帯情報端末４が、インターネット等のネットワークに接続して画像をダウンロード、表示できる装置であれば、地図や写真等の画像へのリンク情報を送信し利用者が必要と感じた場合にアクセスして携帯情報端末４の表示画面７上に表示させることも可能である。同様に、リンク情報から、利用者の要求に応じて元の掲示物６と同等かそれ以上の情報を提供することも可能である。
【００４６】
（装置例２）
本発明装置の装置例２を図面について説明する。
図４は本発明装置の本装置例を示すシステムの構築例、図５はＩＣカードリーダ３′の内部構成例である。なお、同図中、前記本装置例１の図１中と同一のものは同一符号を付した。
【００４７】
情報管理サーバ２が、提供情報決定手段２ｃ、決定提供情報取得手段２ｄ、提供情報送信手段２ｂを持ち、ＩＣカード５には、利用者の携帯情報端末４のＥ−ｍａｉｌアドレス（ｘｙｚ＠ｘｘｘ．ｙｙ．ｚｚ）に加えて利用者本人のプロファイルが記録されている。
ＩＣカードリーダ３′は、ＩＣカード５のＥ−ｍａｉｌアドレス及び利用者本人のプロファイルを読みこむアドレス・プロファイル読み取り手段３ａ′と、当該Ｅ−ｍａｉｌアドレス及びプロファイルを情報管理サーバ２に伝送する特定・プロファイル情報伝送手段３ｂ′を持つ。
【００４８】
利用者のプロファイルとしては、年齢、性別、職業、居住地（都道府県、市区町村ｅｔｃ）、家族構成、興味のある分野（スポーツ、映画、アウトドア、資格ｅｔｃ）などの属性が想定される。ここでは、「男性、２１歳、神奈川県在住、大学生」というプロファイルが記録されているものとする。
【００４９】
（方法例２）
前記装置例２に適用する本発明方法の方法例２につきその実施処理を説明する。
図４中、掲示物６′は学生向けの就職セミナー開催を告知する広告であり、広告付近にはカードリーダＩＤが“０００２”であるＩＣカードリーダ３′が設置してある。“０００２”というカードリーダＩＤは、掲示物６′に対応するものである。
【００５０】
“ｘｙｚ＠ｘｘｘ．ｙｙ．ｚｚ”というＥ−ｍａｉｌアドレス宛ての電子メールを受信可能な携帯情報端末４を持つ利用者が掲示内容に興味を持ち、ＩＣカード５をＩＣカードリーダ３′にかざすと、ＩＣカードリーダ３′は、Ｅ−ｍａｉｌアドレスと、利用者のプロファイルの中から居住地の情報（神奈川県）をアドレス・プロファイル読み取り手段３ａ′で読み取る。ＩＣカードリーダ３′は、読み取ったＥ−ｍａｉｌアドレス（ｘｙｚ＠ｘｘｘ．ｙｙ．ｚｚ）、利用者の居住地（神奈川県）、カードリーダＩＤ（０００２）を特定・プロファイル情報伝送手段３ｂ′にて情報管理サーバ２に送る。
【００５１】
データベース１内には、図６のように“０００２”というカードリーダＩＤに対応する情報として就職説明セミナーを開催する５都市それぞれの情報（会場、アクセス、連絡先、参加申し込みの方法ｅｔｃ．）を記録しておく。情報管理サーバ２は、ＩＣカードリーダ３′から受け取った利用者の居住地情報（神奈川県）により、東京会場に関する情報を提供することを決定し、カードリーダＩＤが“０００２”である提供情報のうち東京版の内容をデータベース１に要求、取得する。
【００５２】
そしてこの提供情報をＩＣカードリーダ３′から受け取ったＥ−ｍａｉｌアドレス（ｘｙｚ＠ｘｘｘ．ｙｙ．ｚｚ）に宛てて送信する。この提供情報を受信した携帯情報端末４の表示画面７′の例を示す。提供情報にリンク情報を組み込み、利用者から追加情報の要求があった際に追加情報を提供することができるのは前記方法例１の通りである。
【００５３】
（方法例３）
前記装置例２に適用する本発明方法の方法例３を図面について説明する。
図７は本方法例３に適用する前記装置例２に準じたシステムの構築例である。なお、当該システム構築例は、前記装置例２の図４及び図５と同じであるが、ＩＣカードに利用者の名前（△野○之）、住所（神奈川県横浜市＊＊＊１２３−４５）、電話番号（０９８−７６５−４３２１）、職業（学生）等、利用者を特定できる情報を記録しておく。図４中、６″は“＊＊文庫”という出版社が出版する小説の広告記事である。
【００５４】
掲載された小説に興味を持ち小説の購入を考えた利用者が、ＩＣカード５をＩＣカードリーダ３′にかざすと、前記方法例２と同じステップで利用者の携帯情報端末４に表示画面７″のような提供情報が送られる。
【００５５】
利用者は、この表示画面７″を見てリンクにアクセスする、メールを返信する等のアクションを起こすことで新たな情報を得たり、商品を購入したりすることができる。表示画面７″において「〇〇の夜明けに　島本荘司」を選択し、商品を購入するステップに進んだ場合の表示画面７″の例を図８に示す。
【００５６】
表示画面７″−１では、選択した小説の講評や代金が表示され、「購入する」を選択して進むと、注文内容確認のステップで表示画面７″−２のようにＩＣカード５から読み取った名前や住所等のデータが表示される。その後、さらに「購入する」を選択し、表示画面７″−３の決裁方法の選択画面以降の手続きへと進む。
【００５７】
課金方法には、利用者のＩＣカード５にクレジットカード番号を記録しておいてＩＣカードリーダ３′で読み取り、クレジットカードで決裁を行なう方法、代金引換や銀行振込による方法、ＩＣカード５自体に電子マネー機能を持たせる方法などが考えられる。
【００５８】
（装置例３）
本発明装置の装置例３を図面につき説明する。
図９は、本装置例を示すシステムの構築例である。なお、前記装置例２の図４中の同一のものは同一符号を付した。
【００５９】
ＩＣカードリーダ３″は、ＩＣカード５の情報を読み取るセンサ部（アドレス・プロファイル読み取り手段）３ａ′と特定・プロファイル情報伝送手段３ｂ′と表示データを受信し電子的に表示内容を制御できる表示デバイス３ｃを備える。データベース１には提供情報の他に、表示デバイス３ｃで表示する表示データを格納してある。
【００６０】
情報管理サーバ２は、表示データ取得手段２ｅと、表示データ送信手段２ｆと、表示データＩＤ管理手段２ｇと、提供情報決定手段２ｃと、決定提供情報取得手段２ｄと、提供情報送信手段２ｂを持つ。
【００６１】
（方法例４）
前記装置例３に適用する本発明方法の方法例４の実施処理を説明する。
情報管理サーバ２は、季節、日付、時間帯などに応じてあらかじめ決められたタイミングでデータベース１から表示データを表示データ取得手段２ｅにより取得する。
【００６２】
そして、ＩＣカードリーダ３″に表示データ送信手段２ｆで送り、表示デバイス３ｃの実際の表示内容に反映させる。同時に情報管理サーバ２は、現時点で表示デバイス３ｃに表示する内容に関する情報（表示データＩＤ）も表示データＩＤ管理手段２ｇにて管理している。
【００６３】
以上の本方法例４により、例えば時間帯によって変化する通行人の年齢層に応じて表示広告を変えたり、季節商品の広告を月毎に変えたり、週毎のおすすめ商品の広告を表示したり、あるいは広告主の変更や掲載契約期間の終了などにより表示内容を更新する必要がある場合の利用が考えられる。また電車やバスの車内にＩＣカードリーダ３″を設置し、ＧＰＳ等によって位置情報を取得すれば、次に停車する駅やバス停付近の店鋪の広告やイベント情報を表示させることも可能である。
【００６４】
（プログラム及び記録媒体）
以下、本発明に係わるシステムの動作プログラム及び同プログラムを記録した記録媒体の実行手順及び実践手続をフローチャートを用いて説明する。
図１０は、前記装置例３の図９中に示す表示デバイス３ｃで表示データを表示するまでのステップを示すフローチャートである。
【００６５】
まず、情報管理サーバ２が、表示デバイス３ｃで表示する内容を決定し（ステップＳ１）、表示データをデータベース１から取得する（ステップＳ２）。これを表示デバイス３ｃに送り（ステップＳ３）、表示内容に反映する（ステップＳ４）。状況変化により表示内容を更新する必要があれば（ステップＳ５）、再びステップ１に戻る。以上の順次一貫経由する実行手順及び実践手続を一連に踏んで行われる。
【００６６】
図１１は、掲示物の内容を見た利用者のアクションを待機する時点以降のステッププログラム及び同プログラムを記録した記録媒体の実行手順及び実践手続を示すフローチャートである。
まず、ＩＣカードリーダ３″にＩＣカード５がかざされたかどうかを判別する（ステップＳ６）。かざされていない場合は待機し、かざされた場合はＩＣカードリーダ３″がＩＣカード５に記録された情報を読み取る（ステップＳ７）。
【００６７】
ＩＣカードリーダ３″は、読み取った情報を情報管理サーバ２に送り（ステップＳ８）、情報管理サーバ２が利用者の携帯情報端末４に送信する提供情報を決定する（ステップＳ９）。そしてデータベース１から提供情報を取得し（ステップＳ１０）、これを利用者の携帯情報端末４に向けて送信する（ステップＳ１１）。提供情報を見た利用者がリンクへのアクセスや更なる情報要求をすれば（ステップＳ１２）、ステップＳ９に戻り、そのようなアクションがなければ処理を終了する。以上の順次一貫経由する実行手順及び実践手続を一連に踏んで行われる。
【００６８】
【発明の効果】
本発明によれば、利用者は歩行中や混雑した電車やバス内であっても、興味を持った掲示物の内容に対し、携帯カードを携帯カードリーダにかざすという簡単な行動のみで関連情報を既存の携帯情報端末に取り込むことができる。携帯カードに利用者のプロファイルを記録しておくことで利用者個人のニーズに合った情報も提供でき、課金処理を行うこともできる。
【００６９】
しかも、携帯カードリーダに備わる表示デバイスに情報管理サーバを介してデータベースから取得した表示データを表示することも出来る等優れた効果を奏する。
【図面の簡単な説明】
【図１】本発明の実施の形態における装置例１に示す情報提供システムの構築例を示す構成図である。
【図２】同上に示す情報提供システムにおけるＩＣカードリーダの内部構成図である。
【図３】同上に示す情報提供システムのデータベースに格納されたデータの例を示す説明図である。
【図４】本発明の実施の形態における装置例２に示す情報提供システムの構築例を示す構成図である。
【図５】同上に示す情報提供システムにおけるＩＣカードリーダの内部構成図である。
【図６】同上に示す情報提供システムのデータベースに格納されたデータの例を示す説明図である。
【図７】同上に示す情報提供システムに適用する本発明の実施の形態における方法例３の実施処理を説明する図である。
【図８】利用者が商品を購入する際の携帯情報端末の表示画面の遷移例を示す説明図である。
【図９】本発明の実施の形態における装置例３に示す情報提供システムの構築例を示す構成図である。
【図１０】同上に示す情報提供システムにおけるＩＣカードリーダの表示デバイスで表示データを表示するまでの動作プログラム及び同プログラムを記録した記録媒体を示すフローチャートである。
【図１１】掲示物の内容を見た利用者のアクションを待機する時点以降のステッププログラム及び同プログラムを記録した記録媒体を示すフローチャートである。
【符号の説明】
１…データベース
２…情報管理サーバ
２ａ…提供情報取得手段
２ｂ…提供情報送信手段
２ｃ…提供情報決定手段
２ｄ…決定提供情報取得手段
２ｅ…表示データ取得手段
２ｆ…表示データ送信手段
２ｇ…表示データＩＤ管理手段
３，３′，３″…ＩＣカードリーダ
３ａ…アドレス読み取り手段
３ａ′…アドレス・プロファイル読み取り手段（センサ部）
３ｂ…特定情報伝送手段
３ｂ′…特定・プロファイル情報伝送手段
３ｃ…表示デバイス
４…携帯情報端末
５…ＩＣカード
６，６′，６″…掲示物
７，７′，７″，７″−１，７″−２，７″−３…表示画面
【図１】
2004062825.tif 000003
【図２】
2004062825.tif 000004
【図３】
2004062825.tif 000005
【図４】
2004062825.tif 000006
【図５】
2004062825.tif 000007
【図６】
2004062825.tif 000008
【図７】
2004062825.tif 000009
【図８】
2004062825.tif 000010
【図９】
2004062825.tif 000011
【図１０】
2004062825.tif 000012
【図１１】
2004062825.tif 000013